(57)【要約】【課題】  レーザノイズを自動的かつ高精度に低減すること。【解決手段】  差動増幅器５３から出力されるＲＦ信号のＤＣレベルと増幅器６５から出力されるレーザノイズキャンセル用ＦＰＤ信号のＤＣレベルとを差動増幅器６４により比較し、その出力を利得制御信号として増幅器６５に戻すことにより負帰還ループを構成し、差動増幅器５３の出力のＤＣレベルに増幅器６５の出力のＤＣレベルを常に一致させる。そして、加算器６２の一方の入力端子へレーザノイズを含むＲＦ信号を供給し、前記ＲＦ信号のレーザノイズと同レベルのレーザノイズを含むレーザノイズキャンセル用ＦＰＤ信号を増幅器６５から逆相で加算器６２の他方の入力端子へ供給する。この際、レーザノイズキャンセル用ＦＰＤ信号には、ＨＰＦ６６の出力側でＤＣ成分を付加し、加算器６２から、前記レーザノイズ成分が常に高効率で抑圧されたＬＮＣ信号を得る。【選択図】      図２
2005310218.tif 000002
【特許請求の範囲】
【請求項１】
光ディスク装置の再生系のレーザノイズを低減するレーザノイズキャンセル回路であって、
光ディスクに照射されるレーザ光のモニタ出力信号を増幅する利得可変のノイズキャンセル用増幅回路と、
前記ノイズキャンセル用増幅回路から出力されたノイズキャンセル用モニタ出力信号の低周波信号成分を抽出する第1の低域通過フィルタと、
前記光ディスクからの再生高周波信号の低周波信号成分を抽出する第２の低域通過フィルタと、
前記第1の低域通過フィルタにより抽出されたノイズキャンセル用モニタ出力信号の低周波信号成分と前記第２の低域通過フィルタにより抽出された再生高周波信号の低周波信号成分とをもとに前記ノイズキャンセル用増幅回路の利得を制御し、前記ノイズキャンセル用増幅回路が出力する前記ノイズキャンセル用モニタ出力信号の低周波信号成分量を前記再生高周波信号の低周波信号成分量に一致させる負帰還ループ回路と、
前記負帰還ループ回路により低周波信号成分量が前記再生高周波信号の低周波信号成分量に一致した前記ノイズキャンセル用モニタ出力信号から抽出されたレーザノイズ成分と、前記再生高周波信号のレーザノイズ成分とを相殺し、レーザノイズ成分がキャンセルされた前記再生高周波信号を生成する演算回路と、
を備えたことを特徴とするレーザノイズキャンセル回路。
【請求項２】
前記負帰還ループ回路は、前記ノイズキャンセル用モニタ出力信号の低周波信号成分量と前記再生高周波信号の低周波信号成分量とを比較し、その比較結果を利得制御信号として前記ノイズキャンセル用増幅回路へ出力し、前記ノイズキャンセル用増幅回路の利得を制御する利得制御用差動増幅器を備えたことを特徴とする請求項１記載のレーザノイズキャンセル回路。
【請求項３】
前記ノイズキャンセル用増幅回路は、帰還抵抗素子を抵抗値可変のＭＯＳ抵抗素子とする差動増幅器による非反転増幅回路により構成され、前記利得制御信号により前記ＭＯＳ抵抗素子の抵抗値が制御され、利得が可変されることを特徴とする請求項２記載のレーザノイズキャンセル回路。
【請求項４】
前記ノイズキャンセル用増幅回路は、逆相入力と参照電圧との間に抵抗値可変のＭＯＳ抵抗素子が挿入された差動増幅器による非反転増幅回路により構成され、前記利得制御信号により前記ＭＯＳ抵抗素子の抵抗値が制御され、利得が可変されることを特徴とする請求項２記載のレーザノイズキャンセル回路。
【請求項５】
前記ノイズキャンセル用モニタ出力信号および前記再生高周波信号の低周波信号成分は直流成分を含むことを特徴とする請求項１記載のレーザノイズキャンセル回路。
【請求項６】
再生系のレーザノイズを低減するレーザノイズキャンセル回路を備えた光ディスク装置であって、
前記レーザノイズキャンセル回路は、
光ディスクに照射されるレーザ光のモニタ出力信号を増幅する利得可変のノイズキャンセル用増幅回路と、
前記ノイズキャンセル用増幅回路から出力されたノイズキャンセル用モニタ出力信号の低周波信号成分を抽出する第1の低域通過フィルタと、
前記光ディスクからの再生高周波信号の低周波信号成分を抽出する第２の低域通過フィルタと、
前記第1の低域通過フィルタにより抽出されたノイズキャンセル用モニタ出力信号の低周波信号成分と前記第２の低域通過フィルタにより抽出された再生高周波信号の低周波信号成分とをもとに前記ノイズキャンセル用増幅回路の利得を制御し、前記ノイズキャンセル用増幅回路が出力する前記ノイズキャンセル用モニタ出力信号の低周波信号成分量を前記再生高周波信号の低周波信号成分量に一致させる負帰還ループ回路と、
前記負帰還ループ回路により低周波信号成分量が前記再生高周波信号の低周波信号成分量に一致した前記ノイズキャンセル用モニタ出力信号から抽出されたレーザノイズ成分と、前記再生高周波信号のレーザノイズ成分とを相殺し、レーザノイズ成分がキャンセルされた前記再生高周波信号を生成する演算回路と、
を備えたことを特徴とする光ディスク装置。
【発明の詳細な説明】
【技術分野】
【０００１】
本発明は、ディスクからの戻り光や温度変化に伴うレーザノイズを低減するレーザノイズキャンセル回路、および、そのレーザノイズキャンセル回路を用いた光ディスク装置に関する。
【背景技術】
【０００２】
従来の光ディスク記録再生装置においては、ディスクからの戻り光や温度変化によりレーザノイズが増大し、再生信号に悪影響を及ぼすといった問題がある。このレーザノイズを低減する手法として、既に特開平１０−１２４９１９号公報に開示されているようなディスクにより変調を受けた光信号より直接モニタしたレーザ光のノイズ成分を減算することによりレーザノイズを相殺するレーザノイズキャンセル（ＬＮＣ）方式がある。しかし減算方式を用いたこの従来の手法では、高いレーザノイズ抑圧効果を得るためにＬＮＣ演算部にて光ディスクに記録された情報の再生信号であるＲＦ信号とレーザの発光状態の監視信号であると共にレーザノイズキャンセル用の信号としても用いられるフロントフォトダイオード信号（以下、ＦＰＤ信号という）のレベルを正確に一致させなければならない他、ＲＦ信号のレベルがディスクの個体差、面内ばらつきにより変化するため、その都度ＦＰＤ信号のレベルを調整し直す必要があった。
【０００３】
図７および図８は従来のレーザノイズキャンセル回路の構成を示す回路図である。
先ず、図７を用いて従来の減算方式を用いたレーザノイズキャンセル方法を説明する。差動増幅器１２１の正相入力端子には一定のバイアス電圧ＶＲＥＦが印加されており、逆相入力端子には、アノードがＧＮＤに接続されたメインフォトダイオード（以下、メインＰＤという）１１１のカソードと、差動増幅器１２１の出力端子に一方の端子が接続された帰還抵抗１３１の他方の端子が接続されている。
また同様に、差動増幅器１２２の正相入力端子には一定のバイアス電圧ＶＲＥＦが印加されており、差動増幅器１２２の逆相入力端子には、アノードがＧＮＤに接続されたフロントフォトダイオード（以下、フロントＰＤという）１１２のカソードと、差動増幅回路１２２の出力端子に一方の端子が接続された帰還抵抗１３２の他方の端子が接続されている。差動増幅器１２１，１２２の出力端子は演算回路１４０の入力に接続され、レーザノイズ成分が低減されたＲＦ信号（ＬＮＣ信号）を出力し、差動増幅回路１２２の出力端子からはＦＰＤ信号が同時に出力される。これらの回路構成要素は、複数あるいは一つの集積回路素子で構成されている。
【０００４】
ディスクにより反射されたレーザ光がメインＰＤ１１１に入射されると、メインＰＤ１１１により光−電気変換され電流信号となり、差動増幅器１２１と帰還抵抗１３１により増幅され電圧信号となって差動増幅器１２１の出力端子からＲＦ信号が出力される。
一方、レーザ光量を監視するフロントＰＤ１１２にレーザからの光が入射されると、フロントＰＤ１１２により光−電気変換され電流信号となり差動増幅器１２２と帰還抵抗１３２により増幅され電圧信号となって差動増幅器１２２の出力にレーザ光量に応じたＦＰＤ信号が現れる。
【０００５】
ここで、メインＰＤ１１１に入射されるレーザ光はディスクに記録された信号だけではなく、レーザから出射されるレーザノイズを含んでおり、同様に、フロントＰＤ１１２に入射されるレーザからの光は、レーザから出射されるレーザノイズを含んでいる。これらのレーザノイズ成分を共に含んだ信号を差動増幅器１２１，１２２から演算回路１４０に入力し、レーザノイズ成分を相殺させることにより、ＬＮＣ信号を取り出すことが出来る。
【０００６】
図８は、図７に示した従来の演算回路１４０を含むレーザノイズキャンセル回路の具体例を示す回路図である。図８において、図７と同一または相当のものについては同一の符号を付し説明を省略している。
演算回路１４０において、ＲＦ信号よりレーザノイズを相殺する演算を行う加算器１６９の一方の入力に、差動増幅器１２１より出力されるＲＦ信号を増幅する増幅器１５１の出力が接続されており、他方の入力としては、差動増幅器１２２より出力されるＦＰＤ信号を増幅する増幅器１５２の出力が、ＤＣ成分を遮断するハイパスフィルタ（以下、ＨＰＦという）１６０を介して逆相で接続されている。ここで、レーザノイズキャンセル用ＦＰＤ信号のＤＣ成分をＨＰＦ１６０により遮断している理由は、レーザノイズキャンセル用ＦＰＤ信号のＤＣ成分がＲＦ信号のＤＣ成分に影響を与えないようにするためである。また、ＨＰＦ１６０によりＨＰＦ１６０の出力のＤＣ電圧が定まらないため、ＨＰＦ１６０の出力は抵抗１６８を介してＶＲＥＦに接続することによりＤＣバイアス電圧を与えている。
【０００７】
レーザノイズキャンセル回路の外部より供給される利得制御信号により増幅器１５１，１５２の利得を調整し、ＲＦ信号とＦＰＤ信号のノイズレベルが一致するように調整することにより、加算器１６９によりレーザノイズが相殺され、レーザノイズが抑圧されたＬＮＣ信号が出力される。ここで、効率良くレーザノイズをキャンセルするには、ＨＰＦ１６０のカットオフ周波数をＲＦ信号帯域よりも十分小さく、かつディスクの反射率の変化および偏心の影響等に追従できるような周波数に設定する。
なお、ここでは増幅器１５１を利得可変増幅器として説明したが、増幅器１５１が利得固定増幅器であるか、あるいは存在しなくてもよい。
このようなレーザノイズをキャンセルする光ディスク装置としては、第２の受光部から得られる変動検出信号を位相反転し、第１の受光部から得られる読取出力信号もしくは読取信号処理部から得られる読取情報信号に加算することで、第２の受光部から得られて位相反転された変動検出信号により、読取信号処理部から得られる読取情報信号に含まれるレーザ雑音成分を打ち消す光ディスク装置がある。（例えば、特許文献１参照）
【特許文献１】特開平１０−１２４９１９号公報
【発明の開示】
【発明が解決しようとする課題】
【０００８】
かかる従来のレーザノイズキャンセル回路および光ディスク装置では、以下の短所が付随している。ＲＦ信号のノイズレベルはＲＦ信号レベルと同様にディスクの反射率等に依存し、再生されるディスク、面内ばらつき等の条件によりばらつくため、常に最大のノイズキャンセル効果を得るためにはＲＦ信号のノイズレベルが変化する毎に増幅器１５１，１５２の出力に現われるレーザノイズレベルが一致するように調整しなければならいため制御が困難であり、充分なレーザノイズ抑圧効果を得るのは容易でないという課題があった。
【０００９】
本発明は、このような事情に鑑みてなされたものであり、レーザノイズキャンセルに伴う増幅器の利得調整を自動的かつ高精度に行うレーザノイズキャンセル回路および光ディスク装置を提供することを目的とする。
【課題を解決するための手段】
【００１０】
上述の目的を達成するため、本発明にかかるレーザノイズキャンセル回路は、光ディスクに照射されるレーザ光のモニタ出力信号を増幅する利得可変のノイズキャンセル用増幅回路と、前記ノイズキャンセル用増幅回路から出力されたノイズキャンセル用モニタ出力信号の低周波信号成分を抽出する第1の低域通過フィルタと、前記光ディスクからの再生高周波信号の低周波信号成分を抽出する第２の低域通過フィルタと、前記第1の低域通過フィルタにより抽出されたノイズキャンセル用モニタ出力信号の低周波信号成分と前記第２の低域通過フィルタにより抽出された再生高周波信号の低周波信号成分とをもとに前記ノイズキャンセル用増幅回路の利得を制御し、前記ノイズキャンセル用増幅回路が出力する前記ノイズキャンセル用モニタ出力信号の低周波信号成分量を前記再生高周波信号の低周波信号成分量に一致させる負帰還ループ回路と、前記負帰還ループ回路により低周波信号成分量が前記再生高周波信号の低周波信号成分量に一致した前記ノイズキャンセル用モニタ出力信号から抽出されたレーザノイズ成分と、前記再生高周波信号のレーザノイズ成分とを相殺し、レーザノイズ成分がキャンセルされた前記再生高周波信号を生成する演算回路とを備えたことを特徴とする。
【００１１】
また、上述の目的を達成するため、本発明にかかる光ディスク装置は、光ディスクに照射されるレーザ光のモニタ出力信号を増幅する利得可変のノイズキャンセル用増幅回路と、前記ノイズキャンセル用増幅回路から出力されたノイズキャンセル用モニタ出力信号の低周波信号成分を抽出する第1の低域通過フィルタと、前記光ディスクからの再生高周波信号の低周波信号成分を抽出する第２の低域通過フィルタと、前記第1の低域通過フィルタにより抽出されたノイズキャンセル用モニタ出力信号の低周波信号成分と前記第２の低域通過フィルタにより抽出された再生高周波信号の低周波信号成分とをもとに前記ノイズキャンセル用増幅回路の利得を制御し、前記ノイズキャンセル用増幅回路が出力する前記ノイズキャンセル用モニタ出力信号の低周波信号成分量を前記再生高周波信号の低周波信号成分量に一致させる負帰還ループ回路と、前記負帰還ループ回路により低周波信号成分量が前記再生高周波信号の低周波信号成分量に一致した前記ノイズキャンセル用モニタ出力信号から抽出されたレーザノイズ成分と、前記再生高周波信号のレーザノイズ成分とを相殺し、レーザノイズ成分がキャンセルされた前記再生高周波信号を生成する演算回路とを有し、再生系のレーザノイズを低減するレーザノイズキャンセル回路を備えたことを特徴とする。
【発明の効果】
【００１２】
本発明によれば、レーザノイズキャンセルに伴う増幅器の利得調整を自動的かつ高精度に行い、高いノイズ低減効果を有するレーザノイズキャンセル回路および光ディスク装置を提供できる効果がある。
【発明を実施するための最良の形態】
【００１３】
レーザノイズキャンセルに伴う増幅器の利得調整を自動的かつ高精度に行い、高いノイズ低減効果を有するレーザノイズキャンセル回路を提供するという目的を、光ディスクに照射されるレーザ光のモニタ出力信号を利得可変のノイズキャンセル用増幅回路により増幅し、前記ノイズキャンセル用増幅回路から出力されたノイズキャンセル用モニタ出力信号の低周波信号成分を第1の低域通過フィルタにより抽出し、前記光ディスクからの再生高周波信号の低周波信号成分を第２の低域通過フィルタにより抽出し、前記第1の低域通過フィルタにより抽出されたノイズキャンセル用モニタ出力信号の低周波信号成分と前記第２の低域通過フィルタにより抽出された再生高周波信号の低周波信号成分とをもとに前記ノイズキャンセル用増幅回路の利得を負帰還ループ回路により制御し、前記ノイズキャンセル用増幅回路から出力される前記ノイズキャンセル用モニタ出力信号の低周波信号成分量を前記再生高周波信号の低周波信号成分量に一致させ、前記負帰還ループ回路により低周波信号成分量が前記再生高周波信号の低周波信号成分量に一致した前記ノイズキャンセル用モニタ出力信号から抽出されたレーザノイズ成分と、前記再生高周波信号のレーザノイズ成分とを演算回路により相殺し、レーザノイズ成分がキャンセルされた前記再生高周波信号を生成することで実現した。
【００１４】
また、レーザノイズキャンセルに伴う増幅器の利得調整を自動的かつ高精度に行い、高いノイズ低減効果を有する光ディスク装置を提供するという目的を、光ディスクに照射されるレーザ光のモニタ出力信号を利得可変のノイズキャンセル用増幅回路により増幅し、前記ノイズキャンセル用増幅回路から出力されたノイズキャンセル用モニタ出力信号の低周波信号成分を第1の低域通過フィルタにより抽出し、前記光ディスクからの再生高周波信号の低周波信号成分を第２の低域通過フィルタにより抽出し、前記第1の低域通過フィルタにより抽出されたノイズキャンセル用モニタ出力信号の低周波信号成分と前記第２の低域通過フィルタにより抽出された再生高周波信号の低周波信号成分とをもとに前記ノイズキャンセル用増幅回路の利得を負帰還ループ回路により制御し、前記ノイズキャンセル用増幅回路から出力される前記ノイズキャンセル用モニタ出力信号の低周波信号成分量を前記再生高周波信号の低周波信号成分量に一致させ、前記負帰還ループ回路により低周波信号成分量が前記再生高周波信号の低周波信号成分量に一致した前記ノイズキャンセル用モニタ出力信号から抽出されたレーザノイズ成分と、前記再生高周波信号のレーザノイズ成分とを演算回路により相殺し、レーザノイズ成分がキャンセルされた前記再生高周波信号を生成するレーザノイズキャンセル回路を備えることで実現した。
【実施例１】
【００１５】
図１は、この実施例１のレーザノイズキャンセル回路が用いられている光ディスク装置を説明するためのブロック図である。
光ディスク装置は、光ピックアップ部１と、読み取り信号処理部３１と、駆動信号形成部３２と、等化器３３と、データ弁別部３４と、クロック再生部３５と、復号部３６と、ＥＣＣ（Ｅｒｒｏｒ  Ｃｏｒｒｅｃｔｉｎｇ  Ｃｏｄｅ）デコーダ３７と、インタフェース部３８とを備えている。
【００１６】
また、光ピックアップ部１は、レーザダイオード１１と、コリメータレンズ１２と、偏光ビームスプリッタ１３と、１／４波長板１４と、フォーカス制御用のコイル装置１５と、対物レンズ１６と、集光レンズ１７と、メインフォトダイオード（以下、メインＰＤという）とアンプとを内蔵した１つの集積素子（以下、ＰＤＩＣという）２１と、フロントフォトダイオード（以下、フロントＰＤという）とアンプとを内蔵した１つの集積素子（以下、ＦＰＤＩＣという）２２と、レーザノイズキャンセル回路６１と、レーザダイオード駆動回路１９とを含む構成である。
【００１７】
レーザダイオード駆動回路１９はレーザダイオード１１に接続されており、その出力電流を制御することにより、レーザダイオード１１から出射される光を制御している。レーザダイオード１１から出射されたレーザ出力光の一部は、偏光ビームスプリッタ１３を透過し、１／４波長板１４にて円偏光に変換された後、対物レンズ１６を通過することにより集光され光ディスク１００へ照射される。偏光ビームスプリッタ１３は、レーザダイオード１１からのレーザ出力光の一部を透過させて光ディスク１００へ照射させるとともに、残りの出力光をＦＰＤＩＣ２２方向へ反射させてフロントＰＤに入射させるようにしている。また、光ディスク１００にて反射されたレーザ光は、照射の時とは逆に対物レンズ１６、１／４波長板１４を通過し、偏光ビームスプリッタ１３にて反射されＰＤＩＣ２１内のメインＰＤに入射される。
光ディスク１００に記録された信号成分を含んだ光を受光したＰＤＩＣ２１内のメインＰＤは、この光信号を電気信号へ変換し、ＰＤＩＣ２１が内蔵された増幅器にて増幅され、再生ＲＦ信号としてＰＤＩＣ２１より出力された後、レーザノイズキャンセル回路６１へ供給される。
一方、レーザダイオード１１から出射され、偏光ビームスプリッタ１３でＦＰＤＩＣ２２方向へ反射されるようにされたレーザ出力光は、ＦＰＤＩＣ２２内のフロントＰＤにより受光される。このフロントＰＤにて受光したレーザ光は電気信号に変換され、ＦＰＤＩＣ２２内の増幅器にて増幅された後、レーザ出力光を制御するためのＦＰＤ信号として用いられると共に、レーザノイズキャンセル回路６１に供給される。
レーザノイズキャンセル回路６１からは、レーザノイズが除去された再生ＲＦ信号が読取出力信号として読み取り信号処理部３１へ出力される。
なお、図１ではレーザノイズキャンセル回路６１が光ピックアップ部１に内蔵されているが、光ピックアップ部１に内蔵されていなくてもよい。
【００１８】
読み取り信号処理部３１では、前記読取出力信号をもとに光ディスク１００の情報記録面に入射するレーザ光ビームの集束状態をあらわすフォーカスエラー信号、光ディスク１００の情報記録面に入射する光ビームの入射位置の各記録トラックにおける中心からのずれの状態を示すトラッキングエラー信号、および、光ディスク１００の情報記録面における記録トラックから読み取られたディジタル情報データをあらわす読取情報信号が生成され出力される。
【００１９】
読み取り信号処理部３１から出力されたフォーカスエラー信号およびトラッキングエラー信号などのサーボ信号は、駆動信号形成部３２へ供給される。
駆動信号形成部３２では、フォーカスエラー信号にもとづくフォーカス制御信号と、トラッキングエラー信号にもとづくトラッキング制御信号とが形成され、これら信号はトラッキング制御用およびフォーカス制御用のコイル装置１５へ供給される。また、読み取り信号処理部３１から出力された読取情報信号は等化器３３へ供給される。
等化器３３においては、読取情報信号についての周波数特性の補正が行われ、等化器３３から得られる周波数特性が補正された読取情報信号が、データ弁別部３４およびクロック再生部３５に供給される。
【００２０】
クロック再生部３５においては、前記読取情報信号におけるデータクロックにもとづいてクロック信号ＣＫが再生され、そのクロック信号ＣＫがデータ弁別部３４に供給される。データ弁別部３４においては、前記読取情報信号に対するクロック信号ＣＫに応じたデータ弁別が行われ、前記読取情報信号にもとづくディジタル情報データが得られる。
そして、データ弁別部３４からのディジタル情報データが復号部３６に供給され、復号部３６において前記ディジタル情報データについての復号化処理が行われ、復号部３６から再生出力データが得られる。この再生出力データは、ＥＣＣデコーダ３７へ供給され、エラー訂正処理などが行われた後、インタフェース部３８を介して外部機器へ供給される。
【００２１】
図２は、光ピックアップ部の構成が図１に示した光ピックアップ部１と異なる光ディスク装置を説明するためのブロック図である。
図２に示す光ディスク装置では、光ピックアップ部２５の光学系の構成と、受光部のメインＰＤとフロントＰＤとが一つの集積素子により構成されている点が、図１に示した光ディスク装置と相違している。
なお、図２において、図１と同一または相当の部分については同一の符号を付し説明を省略する。この図２に示す光ディスク装置の偏光ビームスプリッタ１３は、偏光ビームスプリッタ面１３Ａと全反射面１３Ｂを備えている。そして、光ディスク１００の情報記録面からの戻り光による再生ＲＦ信号と偏光ビームスプリッタ１３の全反射面１３Ｂを反射した光によるＦＰＤ信号とを同時かつ個別に得ることが可能である。
なお、再生系受光回路１８は、一つの集積素子により構成されたメインＰＤおよびフロントＰＤと、レーザノイズキャンセル回路６１とを含む構成である。
【００２２】
図３は、図１または図２の光ディスク装置の受光部を含めたレーザノイズキャンセル回路全体の構成を示す回路図である。先ず、図３に示すメインＰＤおよびフロントＰＤと、レーザノイズキャンセル回路６１の構成について説明する。メインＰＤ５１は、アノードがグランドへ接続され、カソードが差動増幅器５３の逆相入力端子に接続されており、光ディスク１００により反射されたレーザ光が入射される。また、フロントＰＤ５２は、アノードがグランドへ接続され、カソードが差動増幅器５４の逆相入力端子に接続されている。このフロントＰＤ５２は、レーザダイオード１１のレーザ光量を監視するためのものであり、レーザからの光が入射される。差動増幅器５３の出力端子と逆相入力端子との間には帰還抵抗５５が接続されている。また、差動増幅器５４の出力端子と逆相入力端子との間には帰還抵抗５６が接続されている。
差動増幅器５３は、メインＰＤ５１から出力される電流信号を増幅し電圧信号として出力する。また差動増幅器５４は、フロントＰＤ５２から出力される電流信号を増幅し電圧信号として出力する。
【００２３】
メインＰＤ５１の出力を増幅する差動増幅器５３の出力端子は加算器（演算回路）６２の一方の入力端子と低域通過フィルタ（第２の低域通過フィルタ。以下、ＬＰＦという）６３の入力端子へ接続されている。ＬＰＦ６３の出力端子は差動増幅器（利得制御用差動増幅器）６４の正相入力端子へ接続されている。
また、フロントＰＤ５２の出力を増幅する差動増幅器５４の出力端子は、利得制御信号により利得調整可能な増幅器（ノイズキャンセル用増幅回路）６５の入力端子へ接続されている。増幅器６５の出力端子はＨＰＦ６６およびＬＰＦ（第1の低域通過フィルタ）６７の入力端子へ接続されている。  
ＨＰＦ６６の出力は逆相で加算器６２の他方の入力端子へ入力される構成である。また、ＬＰＦ６７の出力端子は差動増幅器６４の逆相入力端子に接続されている。なお、ＨＰＦ６６の出力端子側はＤＣバイアス電圧を供給するため、抵抗６８を介して参照電圧ＶＲＥＦに接続されている。
【００２４】
次に、図３に示すレーザノイズキャンセル回路６１の動作について説明する。
差動増幅器５３から出力される再生ＲＦ信号のＤＣレベルと増幅器６５から出力される
レーザノイズキャンセル用ＦＰＤ信号のＤＣレベルとを差動増幅器６４により比較し、その出力を利得制御信号として増幅器６５に戻すことにより負帰還ループを構成し、差動増幅器５３の出力のＤＣレベルに増幅器６５の出力のＤＣレベルを常に一致させるようにしている。
差動増幅器５３から出力される再生ＲＦ信号、差動増幅器５４から出力されるＦＰＤ信号共に同じレーザダイオード１１を光源とした信号であり、レーザに含まれるＤＣ成分とノイズ成分の大きさの比は常に一致するため、差動増幅器５３から出力される再生ＲＦ信号のＤＣレベルに増幅器６５から出力されるレーザノイズキャンセル用ＦＰＤ信号のＤＣレベルを一致させれば再生ＲＦ信号のレーザノイズレベルとレーザノイズキャンセル用ＦＰＤ信号のレーザノイズレベルは一致する。
よって、加算器６２へ供給される再生ＲＦ信号とレーザノイズキャンセル用ＦＰＤ信号のレーザノイズレベルは常に一致するため、加算器６２の一方の入力端子へレーザノイズを含む再生ＲＦ信号を供給し、前記再生ＲＦ信号のレーザノイズと同レベルのレーザノイズを含むレーザノイズキャンセル用ＦＰＤ信号を増幅器６５から逆相で加算器６２の他方の入力端子へ供給する。
この際、逆相で加算器６２の他方の入力端子へ供給されるレーザノイズキャンセル用ＦＰＤ信号には、ＨＰＦ６６の出力側において参照電圧ＶＲＥＦによりＤＣ成分が付加される。この結果、加算器６２からは、前記レーザノイズ成分が常に高効率で抑圧されたＬＮＣ信号が得られる。さらには、前記再生ＲＦ信号は、増幅器６５の利得調整幅が十分広ければ前記レーザノイズキャンセル用ＦＰＤ信号レベルと無関係に利得を任意に設定することが出来る。
なお、効率良くレーザノイズをキャンセルさせるには、ＨＰＦ６６およびＬＰＦ６３，６７のカットオフ周波数を従来同様ＲＦ信号帯域よりも十分小さく、かつディスクの反射率の変化および偏心の影響等に追従できるような周波数に設定すればよい。
【００２５】
以上のように、この実施例１によれば、レーザに含まれるＤＣ成分とノイズ成分の大きさの比が一致することに着目し、差動増幅器５３から出力される再生ＲＦ信号のＤＣレベルに増幅器６５から出力されるレーザノイズキャンセル用ＦＰＤ信号のＤＣレベルを一致させ、再生ＲＦ信号のレーザノイズレベルとレーザノイズキャンセル用ＦＰＤ信号のレーザノイズレベルを一致させ、加算器６２の一方の入力端子へレーザノイズを含む再生ＲＦ信号を供給し、加算器６２の他方の入力端子へは、前記再生ＲＦ信号のレーザノイズと同レベルのレーザノイズを含むレーザノイズキャンセル用ＦＰＤ信号を逆相で供給し、前記加算器６２において前記レーザノイズを相殺するように構成したので、ディスク毎にばらつくディスクの反射率や温度変化によりレーザノイズが変動しても、自動的かつ効果的にレーザノイズを低減できるレーザノイズキャンセル回路および光ディスク装置を提供できる効果がある。
【実施例２】
【００２６】
図４は、図３に示したレーザノイズキャンセル回路６１の具体例を示す回路図である。図４において図３と同一の回路要素については同一の符号を付し説明を省略する。
図４に示すレーザノイズキャンセル回路７１においては、図３に示す増幅器６５が、差動増幅器５２０，抵抗５２１，５２２、ＭＯＳ抵抗（ＭＯＳ抵抗素子）５２３により非反転増幅回路を構成しており、帰還抵抗としてＭＯＳ抵抗５２３を適用することにより抵抗値を可変としている。帰還抵抗としてＭＯＳ抵抗を利用することにより、差動増幅器５３の出力のＤＣレベルに対して差増増幅器５２０の出力のＤＣレベルが一致するよう、差動増幅器６４の出力よりＭＯＳ抵抗５２３の抵抗値が調整され、非反転増幅回路のゲインが自動調整される。
なお、帰還抵抗にＭＯＳ抵抗５２３を使用することにより、大信号入力時の線形性の問題が危惧されるが、ＬＮＣ動作が必要とされる再生時のＦＰＤ信号の出力レベルはほぼ一定であり広いダイナミックレンジが必要とされないため、大きな問題となる恐れはない。
【００２７】
以上のように、この実施例２においても、前記実施例１と同様な効果が得られるレーザノイズキャンセル回路および光ディスク装置を提供できる。
【実施例３】
【００２８】
図５は、図３に示したレーザノイズキャンセル回路６１の別の具体例を示す回路図である。
図５において図３および図４と同一の回路要素については同一の符号を付し説明を省略する。この実施例３の図５に示すレーザノイズキャンセル回路８１においては、図３に示す増幅器６５が、差動増幅器５２０，抵抗５２１，５３３、ＭＯＳ抵抗（ＭＯＳ抵抗素子）５３２により非反転増幅回路を構成しており、差動増幅器５２０の帰還抵抗として固定抵抗５３３を用い、差動増幅器５２０の逆相入力端子と参照電圧ＶＲＥＦ間の抵抗にＭＯＳ抵抗５３２を挿入し、このＭＯＳ抵抗５３２の抵抗値を差動増幅器６４の出力により調整し、差動増幅器５３の出力のＤＣレベルに対して差増増幅器５２０の出力のＤＣレベルが一致するよう、非反転増幅回路のゲインを自動調整する。ただし、この構成を適用した場合、差動増幅器６４の入力側の接続が図４の構成とは逆となる。
【００２９】
以上のように、この実施例３においても、前記実施例１と同様な効果が得られるレーザノイズキャンセル回路および光ディスク装置を提供できる。
【実施例４】
【００３０】
さらに、図示はしないが、以上説明した実施例１、実施例２および実施例３において、差動増幅器５３の出力の再生ＲＦ信号レベルが小さい時は、差動増幅器５３の次段にさらに増幅器を挿入してもよい。この場合、加算器６２おいて再生ＲＦ信号とレーザノイズキャンセル用ＦＰＤ信号の信号経路上のブロック数の違いによる伝播遅延差が縮小されるため、ノイズキャンセル量が増加するという利点もある。
なお、以上説明した実施例１、実施例２および実施例３における構成は、ＰＤから出力される電流を電圧信号に変換し電圧信号として増幅、伝達する場合について説明を行なったが、ＰＤから出力される電流を電流信号として増幅、伝達してもよい。
【００３１】
以上のように、この実施例４においても、前記実施例１と同様な効果が得られるレーザノイズキャンセル回路および光ディスク装置を提供できる。
【実施例５】
【００３２】
次に、前記実施例１、実施例２、実施例３および実施例４において説明した受光部を含めたレーザノイズキャンセル回路全体のチップ構成について説明する。
図６は、受光部を含めたレーザノイズキャンセル回路全体をいくつの集積素子で構成するかを示した説明図である。図６（ａ）は、ＲＦ信号再生用のメインＰＤと増幅器を符号９１で示す一つの集積素子から構成し、レーザパワー監視用のフロントＰＤと増幅器を符号９２で示す一つの集積素子から構成し、さらにＬＮＣ演算用のレーザノイズキャンセル回路を符号９３で示す一つの集積素子から構成し、受光部を含めたレーザノイズキャンセル回路全体を三つの集積素子で構成した場合を示す。
【００３３】
また、同図（ｂ）は、ＲＦ信号再生用のメインＰＤおよび増幅器と、レーザパワー監視用のフロントＰＤおよび増幅器とを符号９４で示す一つの集積素子から構成し、さらにＬＮＣ演算用のレーザノイズキャンセル回路を符号９５で示す一つの集積素子から構成し、受光部を含めたレーザノイズキャンセル回路全体を二つの集積素子で構成した場合を示す。
【００３４】
また、同図（ｃ）は、ＲＦ信号再生用のメインＰＤおよび増幅器と、ＬＮＣ演算用のレーザノイズキャンセル回路とを符号９６で示す一つの集積素子から構成し、さらにレーザパワー監視用のフロントＰＤおよび増幅器を符号９７で示す一つの集積素子から構成し、受光部を含めたレーザノイズキャンセル回路全体を二つの集積素子で構成した場合を示す。
【００３５】
また、同図（ｄ）は、ＲＦ信号再生用のメインＰＤおよび増幅器と、レーザパワー監視用のフロントＰＤおよび増幅器と、ＬＮＣ演算用のレーザノイズキャンセル回路とを符号９８で示す一つの集積素子から構成し、受光部を含めたレーザノイズキャンセル回路全体を一つの集積素子で構成した場合を示す。
このような受光部を含めたレーザノイズキャンセル回路全体を一つの集積素子で構成した形態は、図２に示したディスク装置の再生系受光回路１８に適用できる。
【００３６】
以上のように、この実施例５においても、前記実施例１と同様な効果が得られるレーザノイズキャンセル回路および光ディスク装置を提供できる。
【図面の簡単な説明】
【００３７】
【図１】本発明の実施例１の光ディスク装置を説明するためのブロック図である。
【図２】本発明の実施例１の光ピックアップ部の構成が異なる光ディスク装置を説明するためのブロック図である。
【図３】本発明の実施例１のメインＰＤ、フロントＰＤおよび増幅器を含むレーザノイズキャンセル回路全体の構成を示す回路図である。
【図４】本発明の実施例２のレーザノイズキャンセル回路の具体例を示す回路図である。
【図５】本発明の実施例３のレーザノイズキャンセル回路の別の具体例を示す回路図である。
【図６】本発明の受光部を含めたレーザノイズキャンセル回路全体をいくつの集積素子で構成するかを示した説明図である。
【図７】従来のレーザノイズキャンセル回路の構成を示す回路図である
【図８】従来のレーザノイズキャンセル回路の構成を示す回路図である
【符号の説明】
【００３８】
６１，７１，８１……レーザノイズキャンセル回路、６２……加算器（演算回路）、６３……ＬＰＦ（第２の低域通過フィルタ）、６４……差動増幅器（利得制御用差動増幅器）、６５……増幅器（ノイズキャンセル用増幅回路）、６７……ＬＰＦ（第１の低域通過フィルタ）、１００……光ディスク、５２３，５３２……ＭＯＳ抵抗（ＭＯＳ抵抗素子）。
【図１】
2005310218.tif 000003
【図２】
2005310218.tif 000004
【図３】
2005310218.tif 000005
【図４】
2005310218.tif 000006
【図５】
2005310218.tif 000007
【図６】
2005310218.tif 000008
【図７】
2005310218.tif 000009
【図８】
2005310218.tif 000010